(57)【特許請求の範囲】
【請求項１】
ワイヤレス通信方法であって、
複数の受信アンテナを介してパイロットを受信することと；
前記複数の受信アンテナを介してデータを受信することと；
合成されたデータを得るために、前記複数の受信アンテナにわたって前記受信されたデータを合成することと；
前記複数の受信アンテナからの前記受信されたパイロットに基づいて信号対干渉雑音比（ＳＩＮＲ）を推定することと；
前記複数の受信アンテナの各々に固有である受信されたデータシンボル、チャネル利得、および雑音分散を用いることなく、前記合成されたデータおよび前記推定されたＳＩＮＲに基づいてデータ対パイロット比を推定することと；
を備える方法。
【請求項２】
前記ＳＩＮＲを前記推定することは、
各受信アンテナについてのチャネル利得および雑音分散を、前記受信アンテナを介して受信される前記パイロットに基づいて推定することと、
前記複数の受信アンテナについて推定されたチャネル利得および雑音分散に基づいて前記ＳＩＮＲを推定することと、
を備える請求項１に記載の方法。
【請求項３】
前記受信されたデータを前記合成することは、前記合成されたデータを得るために、最大比合成（ＭＲＣ）によって、前記複数の受信アンテナにわたって前記受信されたデータを合成することを備える、請求項１に記載の方法。
【請求項４】
前記合成されたデータは、複数の合成されたデータシンボルを備え、ここにおいて、前記データ対パイロット比は、尺度
【数１】
0005661856.tif 000043
に基づいて推定され、
式中、ｉは、前記合成されたデータシンボルについての指数であり、ｚｉは、ｉ番目の合成されたデータシンボルを表し、ＳＩＮＲｉは、前記ｉ番目の合成されたデータシンボルについての推定されたＳＩＮＲを表す、
請求項１に記載の方法。
【請求項５】
前記データ対パイロット比を前記推定することは、前記尺度の分子または前記尺度の前記分子に基づいて導出された量を、非負であるように制約することを備える、請求項１に記載の方法。
【請求項６】
前記合成されたデータは、複数のタイルからの合成されたデータシンボルを備え、前記データ対パイロット比は、前記タイルからのパイロットシンボルおよび前記複数のタイルからの合成されたデータシンボルに基づいて、各タイルについて推定される、請求項１に記載の方法。
【請求項７】
さらに、
前記受信されたデータと前記推定されたデータ対パイロット比に基づいて、コードビットについて対数尤度比（ＬＬＲ）を導出することと、
復号データを導出するために、前記ＬＬＲを復号することと、
を備える、請求項１に記載の方法。
【請求項８】
さらに、周波数分割多重（Ｏ直交ＦＤＭ）によって複数の副搬送波上で送出された少なくとも１つのパイロットシンボルおよび少なくとも１つのデータシンボルを受信することを備え、
ここにおいて、
前記受信されたパイロットは、受信された前記少なくとも１つのパイロットシンボルを備え、
前記受信されたデータは、受信された前記少なくとも１つのデータシンボルを備える、請求項１に記載の方法。
【請求項９】
ワイヤレス通信装置であって、
受信されたパイロットに基づいてチャネル利得および雑音分散を推定することと、
受信されたデータおよび前記推定されたチャネル利得および雑音分散に基づいてデータ対パイロット比を推定することと、
複数の受信アンテナを介してパイロットを受信することと、
前記複数の受信アンテナを介してデータを受信することと、
合成されたデータを得るために、前記複数の受信アンテナにわたって前記受信されたデータを合成することと、
前記複数の受信アンテナからの前記受信されたパイロットに基づいて信号対干渉雑音比（ＳＩＮＲ）を推定することと、
前記複数の受信アンテナの各々に固有である受信されたデータシンボル、チャネル利得、および雑音分散を用いることなく、前記合成されたデータおよび前記推定されたＳＩＮＲに基づいてデータ対パイロット比を推定することと、
のために構成された少なくとも１つのプロセッサを備える、
装置。
【請求項１０】
前記合成されたデータは、複数の合成されたデータシンボルを備え、ここにおいて、前記データ対パイロット比は、尺度
【数２】
0005661856.tif 000044
に基づいて推定され、
式中、ｉは、前記合成されたデータシンボルについての指数であり、ｚｉは、ｉ番目の合成されたデータシンボルを表し、ＳＩＮＲｉは、前記ｉ番目の合成されたデータシンボルについての推定されたＳＩＮＲを表す、請求項９に記載の装置。
【請求項１１】
ワイヤレス通信装置であって、
複数の受信アンテナを介してパイロットを受信するための手段と；
前記複数の受信アンテナを介してデータを受信するための手段と；
合成されたデータを得るために、前記複数の受信アンテナにわたって前記受信されたデータを合成するための手段と；
前記複数の受信アンテナからの前記受信されたパイロットに基づいて信号対干渉雑音比（ＳＩＮＲ）を推定するための手段と；
を備え、
ここにおいて、前記ＳＩＮＲを推定するための手段は、前記複数の受信アンテナの各々に固有である受信されたデータシンボル、チャネル利得、および雑音分散を用いることなく、前記合成されたデータおよび前記推定されたＳＩＮＲに基づいてデータ対パイロット比を推定するための手段を備える、装置。
【請求項１２】
前記合成されたデータは、複数の合成されたデータシンボルを備え、ここにおいて、前記データ対パイロット比は、尺度
【数３】
0005661856.tif 000045
に基づいて推定され、
式中、ｉは、前記合成されたデータシンボルについての指数であり、ｚｉは、ｉ番目の合成されたデータシンボルを表し、ＳＩＮＲｉは、前記ｉ番目の合成されたデータシンボルについての推定されたＳＩＮＲを表す、請求項１１に記載の装置。
【請求項１３】
少なくとも１つのコンピュータに、複数の受信アンテナを介してパイロットを受信させるためのコードと；
少なくとも１つのコンピュータに、前記複数の受信アンテナを介してデータを受信させるためのコードと；
少なくとも１つのコンピュータに、合成されたデータを得るために、前記複数の受信アンテナにわたって前記受信されたデータを合成させるためのコードと；
少なくとも１つのコンピュータに、前記複数の受信アンテナからの前記受信されたパイロットに基づいて信号対干渉雑音比（ＳＩＮＲ）を推定させるためのコードと；を備え、
ここにおいて、前記少なくとも１つのコンピュータにＳＩＮＲを推定させるためのコードは、少なくとも１つのコンピュータに、前記複数の受信アンテナの各々に固有である受信されたデータシンボル、チャネル利得、および雑音分散を用いることなく、前記合成されたデータおよび前記推定されたＳＩＮＲに基づいてデータ対パイロット比を推定させるためのコードを備える、コンピュータ可読記憶媒体。
【請求項１４】
前記合成されたデータは、複数の合成されたデータシンボルを備え、ここにおいて、前記データ対パイロット比は、尺度
【数４】
0005661856.tif 000046
に基づいて推定され、
式中、ｉは、前記合成されたデータシンボルについての指数であり、ｚｉは、ｉ番目の合成されたデータシンボルを表し、ＳＩＮＲｉは、前記ｉ番目の合成されたデータシンボルについての推定されたＳＩＮＲを表す、請求項１３に記載のコンピュータ可読記憶媒体。
【発明の詳細な説明】
【技術分野】
【０００１】
本開示は、一般に、通信に関し、より具体的には、ワイヤレス通信システムにおいてデータ対パイロット比（data-to-pilot ratio）（Ｄ２Ｐ）を推定する技法に関する。
【背景技術】
【０００２】
ワイヤレス通信システムは、音声、ビデオ、パケットデータ、メッセージング、ブロードキャストなどのような種々の通信サービスを提供するために広く展開されている。これらのシステムは、利用可能なシステム資源を共有することによって、複数のユーザをサポートすることが可能な多元接続システムである場合がある。こうした多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および単一搬送波ＦＤＭＡ（ＳＣ−ＦＤＭＡ）システムを含む。
【０００３】
ワイヤレス通信システムでは、基地局は、トラフィックデータ、制御データ、およびパイロットを１つまたは複数の端末に送信することができる。本明細書で使用される場合、用語「データ（data）」は、トラフィックデータおよび制御データを指しうる。トラフィックデータは、一般に、ユーザデータ、パケットデータなどとも呼ばれる。制御データは、一般に、オーバヘッドデータ、シグナリングなどとも呼ばれる。パイロットは、基地局と端末の両方によって事前に知られているデータである。端末は、チャネル推定、復調、復号などのような種々の目的でパイロットを使用する可能性がある。
【０００４】
基地局は、特定の電力レベルでデータを送信し、同じかまたは異なる電力レベルでパイロットを端末に送信することができる。端末は、データ用の送信電力とパイロット用の送信電力の比であるデータ対パイロット比（Ｄ２Ｐ）を確認する必要がある場合がある。Ｄ２Ｐは、トラフィックデータ用のトラフィック対パイロット比（Ｔ２Ｐ）、制御データ用のオーバヘッド対パイロット比（Ｏ２Ｐ）、データとパイロットとの間の電力オフセットなどと呼ばれることがある。たとえば、Ｄ２Ｐは、両者の決定尺度を計算するために、復調器および／または復号器によって使用することができる。Ｄ２Ｐがわかっていないときに、Ｄ２Ｐを正確に推定することが望ましい。
【発明の概要】
【０００５】
受信されたパイロットおよびデータに基づいてデータ対パイロット比を推定する技法が本明細書で述べられる。１つの設計では、端末は、（たとえば、共有チャネル上で複数の端末に送出された）パイロットを受信し、同様に、（たとえば、共有チャネル上でその端末に送出された）データを受信することができる。端末は、受信されたパイロットに基づいてチャネル利得および雑音分散を推定することができる。端末は、その後、受信されたデータならびに推定されたチャネル利得および雑音分散に基づいてデータ対パイロット比を推定することができる。
【０００６】
１つの設計では、端末は、受信されたデータｙおよび推定された雑音分散σ２に基づいて第１の量（たとえば、｜ｙ｜２−σ２）を決定することができる。端末は、推定されたチャネル利得ｈに基づいて第２の量（たとえば、｜ｈ｜２）を決定することができる。端末は、その後、第１および第２の量に基づいてデータ対パイロット比を推定することができる。
【０００７】
受信されたデータは、複数の受信されたデータシンボルを含む可能性がある。１つの設計では、端末は、尺度
【数１】
0005661856.tif 000002
【０００８】
を決定することができる。式中、ｉは、受信されたデータシンボルについての指数である。端末は、複数の受信されたデータシンボルにわたって尺度を平均し、平均された尺度に基づいて前記データ対パイロット比を決定することができる。別の設計では、端末は、受信されたデータシンボルにわたって尺度の分子を平均し、受信されたデータシンボルにわたって尺度の分母を平均し、平均された分子および平均された分母に基づいてデータ対パイロット比を決定することができる。なお別の設計では、端末は、スケーリング係数（たとえば、｜ｈｉ｜２）によって尺度の分子をスケーリングし、スケーリング係数によって尺度の分母をスケーリングし、受信されたデータシンボルにわたってスケーリングされた分子を平均し、受信されたデータシンボルにわたってスケーリングされた分母を平均し、平均されスケーリングされた分子および平均されスケーリングされた分母に基づいてデータ対パイロット比を決定することができる。
【０００９】
端末は、合成されたデータを得るために、複数の受信アンテナを介してパイロットおよびデータを受信し、たとえば、最大比合成（maximum ratio combining）（ＭＲＣ）によって、これらのアンテナにわたって受信されたデータを合成することができる。端末は、そのアンテナを介して受信されるパイロットに基づいて各受信アンテナについてのチャネル利得および雑音分散を推定することができる。端末は、複数の受信アンテナについての推定されたチャネル利得および雑音分散に基づいて信号対干渉雑音比（signal-to-noise-and-interference ratio）（ＳＩＮＲ）を推定することができる。端末は、その後、合成されたデータｚおよび推定されたＳＩＮＲに基づいてデータ対パイロット比を推定することができる。１つの設計では、端末は、上述した平均化方式のうちの任意の方式を使用して、尺度
【数２】
0005661856.tif 000003
【００１０】
に基づいてデータ対パイロット比を推定することができる。
【００１１】
端末は、変調および復号などの種々の目的でデータ対パイロット比を使用することができる。本開示の種々の態様および特徴は、以下でさらに詳細に述べられる。
【図面の簡単な説明】
【００１２】
【図１】図１は、ワイヤレス通信システムを示す。
【図２】図２は、複数の端末への共有チャネルの送信を示す。
【図３】図３は、データおよびパイロットを受信するプロセスを示す。
【図４】図４は、データおよびパイロットを受信する装置を示す。
【図５】図５は、データおよびパイロットを送信するプロセスを示す。
【図６】図６は、データおよびパイロットを送信する装置を示す。
【図７】図７は、基地局および端末のブロック図を示す。
【詳細な説明】
【００１３】
本明細書で述べる技法は、ＣＤＭＡ、ＴＤＭＡ、ＦＤＭＡ、ＯＦＤＭＡ、およびＳＣ−ＦＤＭＡシステムなどの種々のワイヤレス通信システムのために使用することができる。用語「システム（system）」および「ネットワーク（network）」は、交換可能に使用されることが多い。ＣＤＭＡシステムは、ｃｄｍａ２０００、ユニバーサル陸上無線アクセス（Universal Terrestrial Radio Access）（ＵＴＲＡ）などのような無線技術を実装することができる。ＯＦＤＭＡシステムは、ウルトラモバイルブロードバンド（Ultra Mobile Broadband）（ＵＭＢ）、Ｅｖｏｌｖｅｄ  ＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などのような無線技術を実装することができる。ロングタームエボリューション（Long Term Evolution）（ＬＴＥ）は、ダウンリンク上でＯＦＤＭＡを、アップリンク上でＳＣ−ＦＤＭＡを使用するＥ−ＵＴＲＡを使用する。ＵＴＲＡ、Ｅ−ＵＴＲＡ、およびＬＴＥは、「第３世代パートナーシッププロジェクト（3rd Generation Partnership Project）」（３ＧＰＰ）と名付けられた組織からの文書に記載されている。ｃｄｍａ２０００およびＵＭＢは、「第３世代パートナーシッププロジェクト２（3rd Generation Partnership Project 2）」（３ＧＰＰ２）と名付けられた組織からの文書に記載されている。明確にするために、技法のいくつかの態様が、ＵＭＢについて以下で述べられ、ＵＭＢ用語が、以下の説明の多くにおいて使用される。ＵＭＢは、公的に入手可能である、「Ｐｈｙｓｉｃａｌ  Ｌａｙｅｒ  ｆｏｒ  Ｕｌｔｒａ  Ｍｏｂｉｌｅ  Ｂｒｏａｄｂａｎｄ（ＵＭＢ）Ａｉｒ  Ｉｎｔｅｒｆａｃｅ  Ｓｐｅｃｉｆｉｃａｔｉｏｎ」（Ａｕｇｕｓｔ  ２００７）という名称の３ＧＰＰ２  Ｃ．Ｓ００８４−００１に記載される。
【００１４】
図１は、アクセスネットワーク（access network）（ＡＮ）と呼ばれることもあるワイヤレス通信システム１００を示す。簡潔にするために、１つだけの基地局１１０、３つの端末１２０ａ、１２０ｂ、および１２０ｃ、ならびに、１つのネットワークコントローラ１３０が、図１に示される。基地局は、端末と通信する局である。基地局はまた、アクセス点、ノードＢ、発展型ノードＢなどとも呼ばれることがある。ネットワークコントローラ１３０は、一組の基地局に結合し、これらの基地局について協調および制御を提供することができる。ネットワークコントローラ１３０は、単一ネットワークエンティティまたはネットワークエンティティの集合体とすることができる。
【００１５】
端末は、固定型または移動型であってよく、アクセス端末（access terminal）（ＡＴ）、移動局、ユーザ機器、加入者ユニット、局などと呼ばれることがある。端末は、携帯電話、携帯情報端末（ＰＤＡ）、ワイヤレス通信デバイス、無線モデム、携帯式デバイス、ラップトップコンピュータ、コードレスフォンなどであってよい。端末は、フォワードリンクおよび／またはリバースリンク上で基地局と通信することができる。フォワードリンク（またはダウンリンク）は、基地局から端末への通信リンクを指し、リバースリンク（またはアップリンク）は、端末から基地局への通信リンクを指す。本明細書に述べる技法は、フォワードリンク用のＤ２Ｐを推定するために端末によって使用されると共に、リバースリンク用のＤ２Ｐを推定するために基地局によって使用することができる。明確にするために、以下の説明の多くは、端末によるＤ２Ｐの推定のためのものである。
【００１６】
基地局は、データおよび専用パイロットを各端末に送信することができる。各端末は、チャネル推定のため、また、そのデータの復調および復号のために、専用パイロットを使用することができる。異なる端末は、異なる場所にあってもよく、異なるチャネル状態を観測することができる。基地局は、データおよびパイロットが十分な強度を持ってその端末で受信されることができるように、各端末についてデータおよびパイロットの電力レベルを設定することができる。各端末用のＤ２Ｐは、一定であってもよく、また、端末に信号送信され、端末によって知られてもよい。
【００１７】
システムは、制御データを端末に送出するために、フォワードリンク制御チャネルをサポートすることができる。制御チャネルが、個々の端末に送出されるユニキャストチャネルである場合、別個の制御チャネル上で小さなペイロードおよび専用パイロットを各端末に送出することは、恐ろしく費用がかかり、利用可能な無線資源の非効率的な使用を示す可能性がある。
【００１８】
効率を改善するために、基地局は、各端末にデータを、複数の端末に共通パイロットを送信することができる。たとえば、共有制御チャネルは、制御データをユニキャスト方式で各端末に、また、共通パイロットをマルチキャストまたはブロードキャスト方式で共有制御チャネルを受信するすべての端末に送出するために使用することができる。各端末は、チャネル推定のため、また、そのユニキャスト制御データの復調および復号のために共通パイロットを使用することができる。共通パイロットの電力レベルは、最悪のチャネル状態を有する端末でも、十分な強度を有するパイロットを受信できるように設定することができる。各端末用の制御データの電力レベルは、その端末のチャネル状態に基づいて別々に設定することができる。同様に、共有データチャネルは、トラフィックデータをユニキャスト方式で各端末に、また、共通パイロットをマルチキャストまたはブロードキャスト方式で共有データチャネルを受信するすべての端末に送出するために使用することができる。
【００１９】
図２は、複数の端末への共有チャネルの例示的な送信を示す。データシンボルおよびパイロットシンボルは、共有チャネルのために使用される無線資源上で端末に送出することができる。無線資源は、直交周波数分割多重化（ＯＦＤＭ）または単一搬送波周波数分割多重化（ＳＣ−ＦＤＭ）を利用するシステムにおける資源要素を備えることができる。各資源要素は、１つのシンボル周期内の１つの副搬送波に相当することができる。無線資源はまた、他の多重化方式用の他のタイプの資源に相当することができる。
【００２０】
図２に示す実施例では、（「Ｐ」で表示された）パイロットシンボルは、所定の電力レベルで送出され、共有チャネルのために使用される無線資源にわたって配信することができる。各端末用のデータシンボルは、その端末のために選択された電力レベルで送出することができる、また同様に、無線資源にわたって配信することができる。図２に示すように、異なる電力レベルを、異なる端末用のデータシンボルのために使用することができる。各端末用のＤ２Ｐは、その端末用のデータシンボルの電力レベルおよび共有チャネルを受信するすべての端末に共通のパイロットシンボルの電力レベルに依存する可能性がある。
【００２１】
別の設計では、パイロットシンボルの異なるグループは、端末の異なるグループのために使用することができる。基地局は、良好な復調性能を保証し、かつ、電力効率を改善するために、そのパイロットシンボルのグループを使用するすべての端末の中の許容可能最大Ｄ２Ｐに基づいてパイロットシンボルの各グループの電力レベルを設定することができる。異なる電力レベルを、パイロットシンボルの異なるグループのために使用することができる、パイロット電力レベルは、共有チャネルのために使用される無線資源にわたって変動することができる。
【００２２】
各端末用のデータ電力レベルは、その端末のチャネル状態に基づいて調整することができ、また、その端末のＤ２Ｐは、相応して変化することができる。チャネル状態が高速に変化する移動体環境では、各端末のＤ２Ｐは、変化するチャネル状態に追従するために迅速に変わる可能性がある。Ｄ２Ｐの変動は、比較的速い可能性があり、速いレートでＤ２Ｐ値を信号送信することは、過剰な無線資源を消費する可能性がある。
【００２３】
ある態様では、Ｄ２Ｐは、受信されたパイロットおよびデータに基づいて推定することができる。受信されたデータは、トラフィックデータおよび／または制御データを備えることができ、また、特定の端末に送出することができる。パイロットは、複数の端末に送出された共通パイロットおよび／または特定の端末に送出された専用パイロットを備えることができる。Ｄ２Ｐは、以下に述べるように、種々の方式に基づいて推定することができる。
【００２４】
端末における受信されたデータシンボルは、
【数３】
0005661856.tif 000004
【００２５】
として表すことができる。
【００２６】
式中、ｉは、端末に同じＤ２Ｐで送信されたデータシンボルについての指数であり、
ｘｉは、ｉ番目の送信されたデータシンボルであり、
ｈｉは、送信されたデータシンボルｘｉについての複素チャネル利得であり、
Ｄ２Ｐは、データ電力とパイロット電力の比であり、
ｎｉは、ｘｉと相関がなく、かつ、
【数４】
0005661856.tif 000005
【００２７】
の分散を有する加法的ランダム雑音であり、
ｙｉは、受信されたデータシンボルである。
【００２８】
送信されたデータシンボルは、Ｍ−ａｒｙ位相偏移変調（M-ary phase shift keying）（Ｍ−ＰＳＫ）用のパイロット電力のＤ２Ｐ倍に等しい電力を有することができる。送信されたデータシンボルは、直交振幅変調（quadrature amplitude modulation）（ＱＡＭ）用のパイロット電力のＤ２Ｐ倍に等しい平均電力を有することができる。
【００２９】
端末は、当技術分野で知られている種々のチャネル推定技法を使用して、受信されたパイロットシンボルに基づくチャネル利得ｈｉおよび雑音分散
【数５】
0005661856.tif 000006
【００３０】
を推定することができる。簡潔にするために、以下の説明は、推定されたチャネル利得および雑音分散が、実際のチャネル利得および雑音分散に等しくなるように、チャネル推定誤差が全くないと仮定する。
【００３１】
１つの設計では、Ｄ２Ｐは、
【数６】
0005661856.tif 000007
【００３２】
として、受信されたデータシンボルならびに推定されたチャネル利得および雑音分散に基づいて推定することができる。式中、Ｄ２Ｐ＿ｅｓｔｉは、Ｄ２Ｐ＿ｅｓｔｉの期待値がＤ２Ｐに等しくなるような、Ｄ２Ｐの無バイアスの推定値である。推定された
【数７】
0005661856.tif 000008
【００３３】
が、｜ｙｉ｜２より大きい可能性があるため、式（２）の分子の項は、ゼロ以上になるように制約することができ、また、
【数８】
0005661856.tif 000009
【００３４】
として与えることができる。
【００３５】
式（２）は、１つだけの送信されたデータシンボルが存在するとき（その場合、指数ｉは１つの値だけをとる）でも、Ｄ２Ｐを推定するために使用することができる。式（２）は、チャネル推定誤差が全くないと仮定する。実際には、推定されたチャネル利得および雑音分散は、通常、ある程度の誤差を有する。式（２）からのＤ２Ｐ推定値は、チャネル推定誤差が小さい場合、比較的正確である可能性がある。
【００３６】
複数のデータシンボルを、端末に送信することができる。より正確なＤ２Ｐ推定値は、これらの複数のデータシンボルにわたって平均することによって得られる可能性がある。１つの設計では、Ｄ２Ｐは、
【数９】
0005661856.tif 000010
【００３７】
として複数の受信されたデータシンボルに基づいて推定することができる。
【００３８】
別の設計では、Ｄ２Ｐは、
【数１０】
0005661856.tif 000011
【００３９】
として複数の受信されたデータシンボルに基づいて推定することができる。
【００４０】
なお別の設計では、Ｄ２Ｐは、
【数１１】
0005661856.tif 000012
【００４１】
として複数の受信されたデータシンボルに基づいて推定することができる。
【００４２】
式（３）〜（５）のそれぞれの分子の項は、いくつかの方法で非負である（すなわち、ゼロ以上である）ように制約することができる。１つの設計では、平均化は、式（３）〜（５）に示すように実施することができ、結果は、非負であるように制約することができる、たとえば、負である場合、ゼロに設定することができる。別の設計では、指数ｉの各値についての分子の項は、非負になるように制約することができ、平均化は、非負の量について実施することができる。分子の項はまた、他の方法で非負になるように制約することができる。
【００４３】
式（３）〜（５）からのＤ２Ｐ推定値は、推定されたチャネル利得および雑音分散が誤差を全く持たないときに無バイアスである。式（５）は、チャネル品質が高い受信されたデータシンボル（または観測）により大きな重みを与える。したがって、式（５）からのＤ２Ｐ推定値は、より低い誤差分散およびより良好な性能を有する可能性がある。分母におけるチャネル利得の４乗を計算することに関連する急速なビット成長を反映するために、十分な算術範囲と精度が使用されるべきである。式（４）は、式（５）に比べて計算の複雑さが低く、また、特にチャネル利得間にそれほど大きな変動が存在しない場合、匹敵する性能を提供する可能性がある。
【００４４】
式（３）〜（５）は、複数のデータシンボルにわたって平均することによってＤ２Ｐを推定する３つの設計を示す。平均化は、他の方法で実施することができる。たとえば、分子の項
【数１２】
0005661856.tif 000013
【００４５】
および分母の項｜ｈｉ｜２が、｜ｈｉ｜の他の累乗によって、他のスケーリング係数によってなどでスケーリングすることができる。さらに、平均化は、同じＤ２Ｐを有する任意の数のデータシンボルにわたって実施することができる。たとえば、基地局は、異なるタイル上で同じ電力レベルの複数のデータシンボルを搬送するフォワードリンク制御チャネル（たとえば、ＣＱＩチャネル）を端末に送出することができる。異なるタイル内のパイロットは、異なる電力レベルを有する可能性がある。各タイル内のデータシンボルは、同じＤ２Ｐを有することができ、一方、異なるタイル内のデータシンボルは、異なるＤ２Ｐを有することができる。平均化は、相応して実施することができる。
【００４６】
式（２）〜（５）は、各データシンボルに固有であり、添え字ｉで示される雑音分散
【数１３】
0005661856.tif 000014
【００４７】
を示す。雑音分散は、すべてのデータシンボルについて推定され、σ２として与えられてもよい。この雑音分散は、ｉのすべての値について
【数１４】
0005661856.tif 000015
【００４８】
であるように、式（２）〜（５）内の各データシンボルについて使用することができる。一般に、雑音分散は、それぞれの受信されたデータシンボル、すべての受信されたデータシンボル、または受信されたデータシンボルのそれぞれの部分集合について推定することができる。
【００４９】
端末は、複数の受信アンテナを有することができ、また、これらの複数の受信アンテナを介して、送信されたデータシンボルを受信することができる。各受信アンテナからの受信されたデータシンボルは、
【数１５】
0005661856.tif 000016
【００５０】
として表すことができる。
【００５１】
式中、ｊは、端末における受信アンテナについての指数であり、
ｈｉｊは、受信アンテナｊにおけるデータシンボルｘｉについての複素チャネル利得であり、
ｎｉｊは、受信アンテナｊにおけるデータシンボルｘｉについての加法的ランダム雑音であり、
ｙｉｊは、受信アンテナｊからの、受信されたデータシンボルである。
【００５２】
端末は、すべての受信アンテナからの、受信されたデータシンボルを
【数１６】
0005661856.tif 000017
【００５３】
として、最大比合成（ＭＲＣ）によって合成することができる。
【００５４】
式中、
【数１７】
0005661856.tif 000018
【００５５】
は、受信アンテナｊについての雑音の分散ｎｉｊであり、
【数１８】
0005661856.tif 000019
【００５６】
は、受信アンテナｊについてのスケーリング係数であり、
「＊」は、複素共役を示し、
ｚｉは、合成されたデータシンボルである。
【００５７】
端末は、当技術分野で知られている種々のチャネル推定技法を使用して、そのアンテナからの、受信されたパイロットシンボルに基づく各受信アンテナについてのチャネル利得ｈｉｊおよび雑音分散
【数１９】
0005661856.tif 000020
【００５８】
を推定することができる。スケーリング係数
【数２０】
0005661856.tif 000021
【００５９】
は、受信アンテナｊについての、受信された信号の品質を示す。
【００６０】
基地局は、タイル内でデータおよびパイロットを送信することができる。タイルは、Ｎのシンボル周期内のＭの副搬送波のブロックとすることができ、また、資源ブロック、時間周波数ブロックなどと呼ぶことができる。ＵＭＢの場合、タイルは、８のシンボル周期内の１６の副搬送波をカバーする。ＬＴＥの場合、資源ブロックは、６または７のシンボル周期内の１２の副搬送波をカバーする。端末は、各タイルについて、すべての受信アンテナにわたって、受信されたデータシンボルを合成することができる。端末は、その後、合成されたデータシンボルを、まるで１つのアンテナから得られるように処理することができる。受信されたデータシンボルｙｉｊ、チャネル利得ｈｉｊ、および雑音分散
【数２１】
0005661856.tif 000022
【００６１】
などの、アンテナ固有である量は、入手可能でない可能性がある。代わりに、合成されたデータシンボルｚｉおよびＳＩＮＲ推定値が入手可能である可能性がある。ＳＩＮＲ推定値は、
【数２２】
0005661856.tif 000023
【００６２】
として表すことができる。式中、ＳＩＮＲｉは、送信されたデータシンボルｘｉについてのＳＩＮＲ推定値である。ＳＩＮＲは、信号対雑音比（ＳＮＲ）、受信された信号品質などと呼ぶことができる。
【００６３】
合成されたデータシンボルは、
【数２３】
0005661856.tif 000024
【００６４】
として、ＳＩＮＲの関数として表すことができる。式中、
【数２４】
0005661856.tif 000025
【００６５】
は、ＳＩＮＲｉの分散を有するデータシンボルｘｉについての総合雑音である。
【００６６】
式（９）の合成されたデータシンボルは、式（１）の受信されたデータシンボルと同じ形態を有する。特に、式（１）のｈｉは、式（９）のＳＩＮＲｉと置換することができる。式（１）の雑音ｎｉは、
【数２５】
0005661856.tif 000026
【００６７】
の分散を有し、一方、式（９）の雑音
【数２６】
0005661856.tif 000027
【００６８】
は、ＳＩＮＲｉの分散を有する。こうして、Ｄ２Ｐは、式（２）〜（５）に示す設計のうちの任意の設計を使用して推定することができる。たとえば、Ｄ２Ｐは、
【数２７】
0005661856.tif 000028
【００６９】
として、式（４）に示す設計を使用して、合成されたデータシンボルに基づいて推定することができる。
【００７０】
Ｄ２Ｐは、式（２）、（３）、または（５）、あるいは何らかの他の式に示す設計を使用して、合成されたデータシンボルに基づいて推定することができる。分子の項は、上述した設計のうちの任意の設計に基づいて、非負であるように制約することができる。
【００７１】
式（３）、（４）、（５）、および（１０）は、同じＤ２Ｐを有する送信についてＤ２Ｐを推定するために使用することができる。共有制御チャネルは、複数のタイル上で送出することができ、また、端末についてのＤ２Ｐは、異なるタイルにおいて異なる可能性がある。たとえば、異なるパイロット電力レベルは、異なるタイルにおいて使用することができ、一方、端末についてのデータ電力レベルは、すべてのタイルにおいて同じであってもよい。１つの設計では、Ｄ２Ｐは、そのタイルからのデータシンボルおよびパイロットシンボルに基づいて、各タイルについて推定することができる。別の設計では、単一のＤ２Ｐは、すべてのタイルからのすべてのデータシンボルおよびすべてのパイロットシンボルに基づいて推定することができる。なお別の設計では、Ｄ２Ｐは、
【数２８】
0005661856.tif 000029
【００７２】
として、そのタイルからのパイロットシンボルおよびすべてのタイルからのデータシンボルに基づいて、各タイルについて推定することができる。
【００７３】
式中、ｋは、タイル指数であり、ｉは、あるタイル内のシンボル指数であり、
Ｔは、タイルの数であり、各タイルは、同じパイロット電力レベルを有し、
ｚｋｉは、タイルｋからの合成されたデータシンボルであり、
ＳＩＮＲｋｉは、合成されたデータシンボルｚｋｉについてのＳＩＮＲ推定値である。式（１１）の設計は、より良い平均化のために分子の項についてより多くのデータシンボルを使用することによって、また、各タイルからのパイロットシンボルを使用することによって、各タイルについてより正確なＤ２Ｐ推定値を提供する可能性がある。
【００７４】
端末は、復調、復号などのような種々の目的でＤ２Ｐ推定値を使用することができる。たとえば、Ｄ２Ｐ推定値は、ターボエンコーダまたはある他のタイプのエンコーダによって生成されるコードビットについて事前対数尤度比（a priori log-likelihood ratio）（ＬＬＲ）を計算するために使用することができる。ＬＬＲは、その後、ターボデコーダへの入力として提供され、復号データを導出するために使用される。Ｄ２Ｐ推定値はまた、他の決定尺度を計算するために、復調器および復号器によって使用することができる。
【００７５】
図３は、ワイヤレス通信システムにおいてデータおよびパイロットを受信するプロセス３００の設計を示す。プロセス３００は、端末（以下で述べる）によって、または、ある他のエンティティによって実施することができる。端末は、たとえば、共有チャネル上で複数の端末に送出された、パイロットを受信することができる（ブロック３１２）。端末はまた、共有チャネル上でその端末に送出された、データを受信することができる（ブロック３１４）。ブロック３１２および３１４の場合、端末は、ＯＦＤＭによって複数の副搬送波上で送出された少なくとも１つのパイロットシンボルおよび少なくとも１つのデータシンボルを受信することができる。端末はまた、ある他の多重化方式を介してパイロットおよびデータシンボルを受信することができる。いずれにしても、端末は、受信されたパイロットに基づいてチャネル利得および雑音分散を推定することができる（ブロック３１６）。端末は、その後、受信されたデータならびに推定されたチャネル利得および雑音分散に基づいてデータ対パイロット比を推定することができる（ブロック３１８）。ブロック３１８の１つの設計では、端末は、受信されたデータｙおよび推定された雑音分散σ２に基づいて第１の量（たとえば、｜ｙ｜２−σ２）を決定することができる。端末は、推定されたチャネル利得ｈに基づいて第２の量（たとえば、｜ｈ｜２）を決定することができる。端末は、その後、第１および第２の量に基づいてデータ対パイロット比を推定することができる。
【００７６】
受信されたデータは、複数の受信されたデータシンボルを含む可能性がある。データ対パイロット比は、尺度
【数２９】
0005661856.tif 000030
【００７７】
に基づいて推定することができる。式中、ｙｉは、ｉ番目の受信されたデータシンボルを表し、ｈｉは、ｉ番目の受信されたデータシンボルについての推定されたチャネル利得を表し、
【数３０】
0005661856.tif 000031
【００７８】
は、ｉ番目の受信されたデータシンボルについての推定された雑音分散を表す。１つの設計では、端末は、たとえば式（３）に示すように、複数の受信されたデータシンボルにわたって尺度を平均し、平均された尺度に基づいてデータ対パイロット比を決定することができる。別の設計では、端末は、たとえば式（４）に示すように、複数の受信されたデータシンボルにわたって尺度の分子を平均し、複数の受信されたデータシンボルにわたって尺度の分母を平均し、平均された分子および平均された分母に基づいてデータ対パイロット比を決定することができる。なお別の設計では、端末は、たとえば式（５）に示すように、推定されたチャネル利得に基づいて決定されたスケーリング係数（たとえば、｜ｈｉ｜２）によって尺度の分子をスケーリングし、スケーリング係数によって尺度の分母をスケーリングし、複数の受信されたデータシンボルにわたって、スケーリングされた分子を平均し、複数の受信されたデータシンボルにわたってスケーリングされた分母を平均し、平均されスケーリングされた分子および平均されスケーリングされた分母に基づいてデータ対パイロット比を決定することができる。尺度の分子または尺度の分子に基づいて導出される量は、非負であるように制約することができる。
【００７９】
端末は、複数の受信アンテナを介してパイロットおよびデータを受信し、合成されたデータを得るために、（たとえば、ＭＲＣによって）複数の受信アンテナにわたって受信されたデータを合成することができる。ブロック３１６について、端末は、そのアンテナを介して受信されるパイロットに基づいて各受信アンテナについてのチャネル利得ｈｉｊおよび雑音分散
【数３１】
0005661856.tif 000032
【００８０】
を推定することができる。端末は、その後、たとえば式（８）に示すように、複数の受信アンテナについての推定されたチャネル利得および雑音分散に基づいてＳＩＮＲを推定することができる。ブロック３１８について、端末は、合成されたデータおよび推定されたＳＩＮＲに基づいてデータ対パイロット比を推定することができる。合成されたデータは、複数の合成されたデータシンボルを備えることができる。データ対パイロット比は、その後、尺度
【数３２】
0005661856.tif 000033
【００８１】
に基づいて推定することができる。式中、ｚｉは、ｉ番目の合成されたデータシンボルを表し、ＳＩＮＲｉは、ｉ番目の合成されたデータシンボルについての推定されたＳＩＮＲを表す。端末は、データ対パイロット比を得るために、上述した平均化方式のうちの任意の方式を使用して、尺度を平均することができる。尺度の分子または尺度の分子に基づいて導出される量は、非負であるように制約することができる。
【００８２】
端末は、受信されたデータおよび推定されたデータ対パイロット比に基づいて、コードビットについてＬＬＲを導出することができる（ブロック３２０）。端末は、その後、復号されたデータを得るために、ＬＬＲを復号することができる（ブロック３２２）。
【００８３】
図４は、ワイヤレス通信システムにおいてデータおよびパイロットを受信する装置４００の設計を示す。装置４００は、たとえば共有チャネル上で複数の端末に送出されたパイロットを受信するモジュール４１２、たとえば共有チャネル上で特定の端末に送出されたデータを受信するモジュール４１４、受信されたパイロットに基づいてチャネル利得および雑音分散を推定するモジュール４１６、受信されたデータならびに推定されたチャネル利得および雑音分散に基づいてデータ対パイロット比を推定するモジュール４１８、受信されたデータおよび推定されたデータ対パイロット比に基づいて、コードビットについてＬＬＲを導出するモジュール４２０、および復号されたデータを得るためにＬＬＲを復号するモジュール４２２を含む。
【００８４】
図５は、ワイヤレス通信システムにおいてデータおよびパイロットを送信するプロセス５００の設計を示す。プロセス５００は、基地局（以下で述べる）によって、または、ある他のエンティティによって実施することができる。基地局は、複数の端末に、所定の電力レベルでパイロットを送出することができる（ブロック５１２）。基地局は、その端末についてデータ対パイロット比に基づいて決定された電力レベルで複数の端末のそれぞれにデータを送出してもよい（ブロック５１４）。各端末は、その端末に送出されたデータと複数の端末に送出されたパイロットに基づいてそのデータ対パイロット比を推定することができる。ブロック５１４について、基地局は、各端末からチャネル量インジケータ（channel quantity indicator）（ＣＱＩ）情報を受信することができる。基地局は、その端末から受信されたＣＱＩ情報に基づいて各端末に送出されるデータの電力レベルを決定することができる。基地局は、電力レベルに対する変更を端末に知らせることなく、各端末に送出されるデータの電力レベルを変動させることができる（ブロック５１６）。
【００８５】
別の設計では、基地局は、その端末から受信されたＣＱＩ情報に基づいて各端末に送出されるデータの電力レベルおよび目標電力レベルを決定することができる。基地局は、その後、パイロットを使用した複数の端末間でのデータ送信電力の最も高いブーストを必要とする端末のＤ２Ｐを満たすように、パイロットの電力レベルを選択することができる。この設計は、ブロック５１２および５１４に示す設計と同等であると考えることができる。一般に、各端末に送出されるデータの電力レベルおよびパイロットの電力レベルは、各端末について所望の性能を達成するために種々の方法で設定することができる。
【００８６】
１つの設計では、各端末に送出されるデータは、制御データを含むことができる。基地局は、パイロットおよび制御データを共有制御チャネル上で複数の端末に送出することができる。別の設計では、各端末に送出されるデータは、トラフィックデータを備えることができる。基地局は、パイロットおよびトラフィックデータを共有データチャネル上で複数の端末に送出することができる。
【００８７】
図６は、ワイヤレス通信システムにおいてデータおよびパイロットを送信する装置６００の設計を示す。装置６００は、複数の端末に所定の電力レベルでパイロットを送出するモジュール６１２、その端末についてのデータ対パイロット比に基づいて決定された電力レベルで複数の端末のそれぞれにデータを送出するモジュール６１４、および電力レベルに対する変更を端末に知らせることなく、各端末に送出されるデータの電力レベルを変動させるモジュール６１６を含む。
【００８８】
図４および６のモジュールは、プロセッサ、電子デバイス、ハードウェアデバイス、電子コンポーネント、ロジック回路、メモリなど、または、その任意の組合せを備えることができる。
【００８９】
図７は、基地局１１０および端末１２０（図１の端末の１つである）の設計のブロック図である。この設計では、基地局１１０は、Ｔアンテナ７３４ａ〜７３４ｔを装備し、端末１２０は、Ｒアンテナ７５２ａ〜７５２ｒを装備している。ここで、一般に、Ｔ≧１であり、かつ、Ｒ≧１である。
【００９０】
基地局１１０において、送信プロセッサ７２０は、端末用のトラフィックデータをデータソース７１２から受信し、端末用の制御データをコントローラ／プロセッサ７４０から受信することができる。送信プロセッサ７２０は、その端末について選択された１つまたは複数の変調および符合化方式に基づいて、各端末についてデータを処理し、すべての端末についてデータシンボルを提供することができる。送信プロセッサ７２０はまた、パイロットシンボルを生成することができる。送信（ＴＸ）複数入力複数出力（multiple-input multiple-output）（ＭＩＭＯ）プロセッサ７３０は、データシンボルおよびパイロットシンボルを多重化し、適用可能である場合、多重化されたシンボルについて空間処理（たとえば、プリコーディング）を実施し、Ｔ出力シンボルストリームを、Ｔ変調器（ＭＯＤ）７３２ａ〜７３２ｔに提供してもよい。各変調器７３２は、出力チップストリームを得るために、（たとえば、ＯＦＤＭの場合）それぞれの出力シンボルストリームを処理することができる。各変調器７３２は、さらに、フォワードリンク信号を得るために、出力チップストリームを処理することができる（たとえば、アナログに変換し、増幅し、フィルタリングし、アップコンバートすることができる）。変調器７３２ａ〜７３２ｔからのＴフォワードリンク信号は、Ｔアンテナ７３４ａ〜７３４ｔを介してそれぞれ送信することができる。
【００９１】
端末１２０において、アンテナ７５２ａ〜７５２ｒは、基地局１１０からフォワードリンク信号を受信し、受信された信号を復調器（ＤＥＭＯＤ）７５４ａ〜７５４ｒにそれぞれ提供することができる。各復調器７５４は、サンプルを得るために、それぞれの受信された信号を調節すること（たとえば、フィルタリングすること、増幅すること、ダウンコンバートすること、デジタル化すること）ができ、また、さらに、受信されたパイロットシンボルおよび受信されたデータシンボルを得るために、（たとえば、ＯＦＤＭの場合）サンプルを処理することができる。チャネル推定器７９４は、すべてのＲ復調器７５４ａ〜７５４ｒから、受信されたパイロットシンボルを得ることができ、また、受信されたパイロットシンボルに基づいてチャネル利得、雑音分散、および／またはＳＩＮＲを推定することができる。ＭＩＭＯ検出器／合成器７６０は、すべてのＲ復調器７５４ａ〜７５４ｒから、受信されたデータシンボルを得、受信されたデータシンボルについてＭＩＭＯ検出またはＭＲＣ合成を実施し、合成されたデータシンボルを提供することができる。受信プロセッサ７７０は、合成されたデータシンボルを処理し（たとえば、復調し、インタリーブ解除し、復号し）、データシンク７７２に端末１２０用の復号されたトラフィックデータを提供し、コントローラ／プロセッサ７９０に端末１２０用の復号された制御データを提供することができる。
【００９２】
リバースリンク上で、端末１２０において、データソース７７８からのトラフィックデータおよびコントローラ／プロセッサ７９からの制御データ（たとえば、ＣＱＩ情報）は、送信プロセッサ７８０によって処理し、適用可能である場合、ＴＸ  ＭＩＭＯプロセッサ７８２によってさらに処理し、変調器７５４ａ〜７５４ｒによって調節し、基地局１１０に送信することができる。基地局１１０において、端末１２０によって送信されたトラフィックデータおよび制御データを得るために、端末１２０からのリバースリンク信号は、アンテナ７３４によって受信し、復調器７３２によって調節し、ＭＩＭＯ検出器／合成器７３６によって処理し、受信プロセッサ７３８によってさらに処理することができる。
【００９３】
コントローラ／プロセッサ７４０および７９０は、基地局１１０および端末１２０における動作をそれぞれ指示することができる。コントローラ／プロセッサ７９０は、図３のプロセス３００および／または本明細書で述べる技法のための他のプロセスを実施することができ、または、プロセスに指示することができる。コントローラ／プロセッサ７４０は、図５のプロセス５００および／または本明細書で述べる技法のための他のプロセスを実施することができ、または、プロセスに指示することができる。メモリ７４２および７９２は、基地局１１０および端末１２０用のデータおよびプログラムコードをそれぞれ格納することができる。スケジューラ７４４は、フォワードリンクおよび／またはリバースリンクに関するデータ送信について端末をスケジューリングすることができ、また、スケジュールされた端末のために資源の割当てを提供することができる。
【００９４】
情報および信号が、種々の異なる技術および技法のうちの任意のものを使用して表されてもよいことを当業者は理解するであろう。たとえば、先の説明全体を通して参照されてもよいデータ、命令、コマンド、情報、信号、ビット、シンボル、チップは、電圧、電流、電磁波、磁場または磁気粒子、光学場または光学粒子、あるいはその任意の組合せによって表されてもよい。
【００９５】
本明細書の開示と共に述べられる種々の例証的なロジカルブロック、モジュール、回路、およびアルゴリズムステップは、電子ハードウェア、コンピュータソフトウェア、または両者の組合せとして実装できることを当業者はさらに理解するであろう。ハードウェアおよびソフトウェアのこの交換可能性を明確に示すために、種々の例証的なコンポーネント、ブロック、モジュール、回路、およびステップが、それらの機能の点から一般に上述された。こうした機能が、ハードウェアとして実装されるか、ソフトウェアとして実装されるかは、特定の用途および全体システムに課される設計制約に依存する。当業者は、それぞれの特定の用途についていろいろな方法で、述べた機能を実装することができるが、こうした実装の決定は、本開示の範囲からの逸脱をもたらすものとして解釈されるべきでない。
【００９６】
本明細書の開示と共に述べられる種々の例証的なロジカルブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、本明細書で述べる機能を実施するように設計されたその任意の組合せによって実装することができ、または、実施することができる。汎用プロセッサは、マイクロコントローラとすることができるが、代替法では、プロセッサは、任意の従来のプロセッサ、コントローラ、マイクロコントローラ、または状態機械とすることができる。プロセッサはまた、コンピューティグデバイスの組合せ、たとえば、ＤＳＰとマイクロプロセサの組合せ、複数のマイクロプロセッサ、ＤＳＰコアと一緒の１つまたは複数のマイクロプロセッサ、あるいは任意の他のこうした構成として実装することができる。
【００９７】
本明細書の開示と共に述べられる方法またはアルゴリズムのステップは、ハードウェアで直接、プロセッサによって実行されるソフトウェアモジュールで、または、２つの組合せで具現化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当技術分野で知られている任意の他の形態の記憶媒体内に存在することができる。例示的な記憶媒体は、プロセッサが、記憶媒体から情報を読出し、記憶媒体に情報を書込むことができるようにプロセッサに結合される。代替法では、記憶媒体は、プロセッサと一体とすることができる。プロセッサおよび記憶媒体は、ＡＳＩＣ内に存在することができる。ＡＳＩＣは、ユーザ端末内に存在することができる。代替法では、プロセッサおよび記憶媒体は、ユーザ端末内でディスクリートコンポーネントとして存在することができる。
【００９８】
１つまたは複数の例示的な設計では、述べた機能は、ハードウェア、ソフトウェア、ファームウェア、またはその任意の組合せで実装することができる。ソフトウェアで実装される場合、機能は、コンピュータ読取り可能媒体上の１つまたは複数の命令またはコードとして、格納するか、または、送信することができる。コンピュータ読取り可能媒体は、コンピュータ記憶媒体と、１つの場所から別の場所へのコンピュータプログラムの転送を容易にする任意の媒体を含む通信媒体の両方を含む。記憶媒体は、汎用または専用コンピュータによってアクセスされうる任意の利用可能な媒体とすることができる。制限するのではなく、例を挙げると、こうしたコンピュータ読取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、所望のプログラムコードを、命令またはデータ構造の形態で搬送するかまたは格納するために使用されることができ、かつ、汎用または専用コンピュータあるいは汎用または専用プロセッサによってアクセスされることができる任意の他の媒体を含みうる。同様に、任意の接続は、当然、コンピュータ読取り可能媒体と呼ばれる。たとえば、ソフトウェアが、同軸ケーブル、光ファイバケーブル、ツイストペア、デジタル加入者ライン（ＤＳＬ）、または、赤外線、無線、およびマイクロ波などのワイヤレス技術を使用して、ウェブサイト、サーバ、または他の遠隔ソースから送信される場合、同軸ケーブル、光ファイバケーブル、ツイストペア、ＤＳＬ、または、赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザディスク、光ディスク、デジタル多用途ディスク（ＤＶＤ）、フロッピー（登録商標）ディスク、およびブルーレイ（登録商標）ディスクを含み、ディスク（disks）は、通常、データを磁気的に再生し、一方、ディスク（discs）は、レーザによってデータを光学的に再生する。上記の組合せもまた、コンピュータ読取り可能媒体の範囲内に含まれるべきである。
【００９９】
本開示の先の説明は、当業者が本開示を作るかまたは使用することを可能にするために提供される。本開示に対する種々の変更が、当業者に容易に明らかになることになり、また、本明細書で規定される一般的な原理を、本開示の趣旨または範囲から逸脱することなく、他の変形に適用することができる。したがって、本開示は、本明細書で述べる実施例および設計に限定されることを意図されるのではなく、本明細書で開示される原理および新規な特徴と矛盾しない最も広い範囲に一致する。
以下に、本願出願当初の特許請求の範囲に記載された発明の内容を付記する。
［１］  ワイヤレス通信方法であって、  受信されたパイロットに基づいてチャネル利得および雑音分散を推定することと；  受信されたデータおよび前記推定されたチャネル利得および雑音分散に基づいてデータ対パイロット比を推定することと、  を備える方法。
［２］  共有チャネル上で複数の端末に送出されるパイロットを受信することと；  前記共有チャネル上で特定の端末に送出されるデータを受信することと、  をさらに備える［１］に記載の方法。
［３］  前記データ対パイロット比を前記推定することは、  前記受信されたデータおよび前記推定された雑音分散に基づいて第１の量を決定することと、  前記推定されたチャネル利得に基づいて第２の量を決定することと、  前記第１および第２の量に基づいて前記データ対パイロット比を推定することと、  を備える［１］に記載の方法。
［４］  前記受信されたデータは、複数の受信されたデータシンボルを備え、ここにおいて、前記データ対パイロット比は、尺度
【数３３】
0005661856.tif 000034
に基づいて推定され、
式中、ｉは、前記受信されたデータシンボルについての指数であり、ｙｉは、ｉ番目の受信されたデータシンボルを表し、ｈｉは、前記ｉ番目の受信されたデータシンボルについての推定されたチャネル利得を表し、
【数３４】
0005661856.tif 000035
は、前記ｉ番目の受信されたデータシンボルについての推定された雑音分散を表す、  ［１］に記載の方法。
［５］  前記データ対パイロット比を前記推定することは、  前記複数の受信されたデータシンボルにわたって前記尺度を平均することと、  前記平均された尺度に基づいて前記データ対パイロット比を決定することと、  を備える［４］に記載の方法。
［６］  前記データ対パイロット比を前記推定することは、  前記複数の受信されたデータシンボルにわたって前記尺度の分子を平均することと、  前記複数の受信されたデータシンボルにわたって前記尺度の分母を平均することと、  前記平均された分子および前記平均された分母に基づいて前記データ対パイロット比を決定することと、  を備える［４］に記載の方法。
［７］  前記データ対パイロット比を前記推定することは、  前記推定されたチャネル利得に基づいて決定されるスケーリング係数によって前記尺度の分子をスケーリングすることと、  前記スケーリング係数によって前記尺度の分母をスケーリングすることと、  前記複数の受信されたデータシンボルにわたって前記スケーリングされた分子を平均することと、  前記複数の受信されたデータシンボルにわたって前記スケーリングされた分母を平均することと、  前記平均されスケーリングされた分子および前記平均されスケーリングされた分母に基づいて前記データ対パイロット比を決定することと、  を備える［４］に記載の方法。
［８］  前記データ対パイロット比を前記推定することは、前記尺度の分子または前記尺度の前記分子に基づいて導出された量を、非負であるように制約することを備える、［４］に記載の方法。
［９］  前記受信されたデータおよび前記推定されたデータ対パイロット比に基づいてコードビットについて対数尤度比（ＬＬＲ）を導出することと；   復号されたデータを得るために前記ＬＬＲを復号することと；  をさらに備える［１］に記載の方法。
［１０］  複数の副搬送波上で送出される少なくとも１つのパイロットシンボルおよび少なくとも１つのデータシンボルを、直交周波数分割多重（ＯＦＤＭ）によって受信することをさらに備え、ここにおいて、前記受信されたパイロットは、前記少なくとも１つの受信されたパイロットシンボルを備え、前記受信されたデータは、前記少なくとも１つの受信されたデータシンボルを備える、  ［１］に記載の方法。
［１１］  ワイヤレス通信方法であって、  複数の受信アンテナを介してパイロットを受信することと；  前記複数の受信アンテナを介してデータを受信することと；  合成されたデータを得るために、前記複数の受信アンテナにわたって前記受信されたデータを合成することと；  前記複数の受信アンテナからの前記受信されたパイロットに基づいて信号対干渉雑音比（ＳＩＮＲ）を推定することと；  前記合成されたデータおよび前記推定されたＳＩＮＲに基づいてデータ対パイロット比を推定することと、  を備える方法。
［１２］  前記ＳＩＮＲを前記推定することは、  各受信アンテナについてのチャネル利得および雑音分散を、前記受信アンテナを介して受信される前記パイロットに基づいて推定することと、  前記複数の受信アンテナについて、推定されたチャネル利得および雑音分散に基づいて前記ＳＩＮＲを推定することと、  を備える、［１１］に記載の方法。
［１３］  前記受信されたデータを前記合成することは、前記合成されたデータを得るために、最大比合成（ＭＲＣ）によって、前記複数の受信アンテナにわたって前記受信されたデータを合成することを備える、［１１］に記載の方法。
［１４］  前記合成されたデータは、複数の合成されたデータシンボルを備え、ここにおいて、前記データ対パイロット比は、尺度
【数３５】
0005661856.tif 000036
に基づいて推定され、
式中、ｉは、前記合成されたデータシンボルについての指数であり、ｚｉは、ｉ番目の合成されたデータシンボルを表し、ＳＩＮＲｉは、前記ｉ番目の合成されたデータシンボルについての推定されたＳＩＮＲを表す、［１１］に記載の方法。
［１５］  前記データ対パイロット比を前記推定することは、前記尺度の分子または前記尺度の前記分子に基づいて導出された量を、非負であるように制約することを備える、［１１］に記載の方法。
［１６］  前記合成されたデータは、複数のタイルからの合成されたデータシンボルを備え、前記データ対パイロット比は、前記タイルからのパイロットシンボルおよび前記複数のタイルからの合成されたデータシンボルに基づいて、各タイルについて推定される、［１１］に記載の方法。
［１７］  ワイヤレス通信装置であって、    受信されたパイロットに基づいてチャネル利得および雑音分散を推定することと、    受信されたデータおよび前記推定されたチャネル利得および雑音分散に基づいてデータ対パイロット比を推定ことと、  のために構成された少なくとも１つのプロセッサを備える、  装置。
［１８］  前記少なくとも１つのプロセッサは、前記受信されたデータおよび前記推定された雑音分散に基づいて第１の量を決定し、前記推定されたチャネル利得に基づいて第２の量を決定し、前記第１および第２の量に基づいて前記データ対パイロット比を推定するように構成される、［１７］に記載の装置。
［１９］  前記受信されたデータは、複数の受信されたデータシンボルを備え、ここにおいて、前記データ対パイロット比は、尺度
【数３６】
0005661856.tif 000037
に基づいて推定され、
式中、ｉは、前記受信されたデータシンボルについての指数であり、ｙｉは、ｉ番目の受信されたデータシンボルを表し，ｈｉは、前記ｉ番目の受信されたデータシンボルについての推定されたチャネル利得を表し、
【数３７】
0005661856.tif 000038
は、前記ｉ番目の受信されたデータシンボルについての推定された雑音分散を表す、［１７］に記載の装置。
［２０］  前記少なくとも１つのプロセッサは、前記複数の受信されたデータシンボルにわたって前記尺度の分子を平均し、前記複数の受信されたデータシンボルにわたって前記尺度の分母を平均し、前記平均された分子および前記平均された分母に基づいて前記データ対パイロット比を決定するように構成される、［１９］に記載の装置。
［２１］  前記少なくとも１つのプロセッサは、複数の受信アンテナを介してパイロットを受信し、前記複数の受信アンテナを介してデータを受信し、合成されたデータを得るために、前記複数の受信アンテナにわたって前記受信されたデータを合成し、前記複数の受信アンテナからの前記受信されたパイロットに基づいて信号対干渉雑音比（ＳＩＮＲ）を推定し、前記合成されたデータおよび前記推定されたＳＩＮＲに基づいて前記データ対パイロット比を推定するように構成される、［１７］に記載の装置。
［２２］  前記合成されたデータは、複数の合成されたデータシンボルを備え、ここにおいて、前記データ対パイロット比は、尺度
【数３８】
0005661856.tif 000039
に基づいて推定され、
式中、ｉは、前記合成されたデータシンボルについての指数であり、ｚｉは、ｉ番目の合成されたデータシンボルを表し、ＳＩＮＲｉは、前記ｉ番目の合成されたデータシンボルについての推定されたＳＩＮＲを表す、［２１］に記載の装置。
［２３］  ワイヤレス通信装置であって、  受信されたパイロットに基づいてチャネル利得および雑音分散を推定する手段と；  受信されたデータおよび前記推定されたチャネル利得および雑音分散に基づいてデータ対パイロット比を推定する手段と；  を備える装置。
［２４］  前記データ対パイロット比を推定する前記手段は、  前記受信されたデータおよび前記推定された雑音分散に基づいて第１の量を決定する手段と、  前記推定されたチャネル利得に基づいて第２の量を決定する手段と、  前記第１および第２の量に基づいて前記データ対パイロット比を推定する手段と、  を備える、［２３］に記載の装置。
［２５］  前記受信されたデータは、複数の受信されたデータシンボルを備え、ここにおいて、前記データ対パイロット比は、尺度
【数３９】
0005661856.tif 000040
に基づいて推定され、
式中、ｉは、前記受信されたデータシンボルについての指数であり、ｙｉは、ｉ番目の受信されたデータシンボルを表し、ｈｉは、前記ｉ番目の受信されたデータシンボルについての推定されたチャネル利得を表し、
【数４０】
0005661856.tif 000041
は、前記ｉ番目の受信されたデータシンボルについての推定された雑音分散を表す、［２３］に記載の装置。
［２６］  前記データ対パイロット比を推定する前記手段は、  前記複数の受信されたデータシンボルにわたって前記尺度の分子を平均する手段と、  前記複数の受信されたデータシンボルにわたって前記尺度の分母を平均する手段と、  前記平均された分子および前記平均された分母に基づいて前記データ対パイロット比を決定する手段と、  を備える、［２５］に記載の装置。
［２７］  複数の受信アンテナを介してパイロットを受信する手段と；  前記複数の受信アンテナを介してデータを受信する手段と；  合成されたデータを得るために、前記複数の受信アンテナにわたって前記受信されたデータを合成する手段と；  前記複数の受信アンテナからの前記受信されたパイロットに基づいて信号対干渉雑音比（ＳＩＮＲ）を推定する手段と；  をさらに備え、  ここにおいて、前記データ対パイロット比を推定する前記手段は、前記合成されたデータおよび前記推定されたＳＩＮＲに基づいてデータ対パイロット比を推定する手段を備える、［２３］に記載の装置。
［２８］  前記合成されたデータは、複数の合成されたデータシンボルを備え、ここにおいて、前記データ対パイロット比は、尺度
【数４１】
0005661856.tif 000042
に基づいて推定され、
式中、ｉは、前記合成されたデータシンボルについての指数であり、ｚｉは、ｉ番目の合成されたデータシンボルを表し、ＳＩＮＲｉは、前記ｉ番目の合成されたデータシンボルについての推定されたＳＩＮＲを表す、［２７］に記載の装置。
［２９］  コンピュータプログラム製品であって、    受信されたパイロットに基づいてチャネル利得および雑音分散を少なくとも１つのコンピュータに推定させるコードと；    受信されたデータおよび前記推定されたチャネル利得および雑音分散に基づいてデータ対パイロット比を少なくとも１つのコンピュータに推定させるコードと；  を備えるコンピュータ読取り可能媒体、  を備えるコンピュータプログラム製品。
［３０］  ワイヤレス通信用のデータおよびパイロットを送信する方法であって、  複数の端末に、所定の電力レベルでパイロットを送出することと；  各端末についてのデータ対パイロット比に基づいて決定される電力レベルで前記複数の端末の各端末にデータを送出することと；  を備え、  各端末は、端末についての前記データ対パイロット比を、前記端末に送出される前記データおよび前記複数の端末に送出される前記パイロットに基づいて推定する、  方法。
［３１］  前記複数の端末に送出される前記データの電力レベルおよび前記複数の端末についての目標データ対パイロット比に基づいて前記パイロットの前記所定の電力レベルを決定することをさらに備える、［３０］に記載の方法。
［３２］  前記電力レベルに対する変更を前記端末に知らせることなく、各端末に送出される前記データの前記電力レベルを変動させることをさらに備える、［３０］に記載の方法。
［３３］  前記複数の端末のそれぞれからチャネル量インジケータ（ＣＱＩ）情報を受信することと；  前記端末から受信される前記ＣＱＩ情報に基づいて、各端末に送出される前記データの前記電力レベルを決定することと；  をさらに含む、［３０］に記載の方法。
［３４］  各端末に送出される前記データは、制御データを備え、  前記パイロットおよび制御データは、共有制御チャネル上で前記複数の端末に送出される、［３０］に記載の方法。
［３５］  ワイヤレス通信装置であって、    複数の端末に、所定の電力レベルでパイロットを送出することと、    前記複数の端末の各端末に、前記端末についてのデータ対パイロット比に基づいて決定される電力レベルでデータを送出するようことと、  のために構成された少なくとも１つのプロセッサを備え、  各端末は、前記端末についての前記データ対パイロット比を、前記端末に送出される前記データおよび前記複数の端末に送出される前記パイロットに基づいて推定する、  装置。
［３６］  前記少なくとも１つのプロセッサは、前記電力レベルに対する変更を前記端末に知らせることなく、各端末に送出される前記データの前記電力レベルを変動させるために構成される、［３５］に記載の装置。
【図１】
0005661856.tif 000047
【図２】
0005661856.tif 000048
【図３】
0005661856.tif 000049
【図４】
0005661856.tif 000050
【図５】
0005661856.tif 000051
【図６】
0005661856.tif 000052
【図７】
0005661856.tif 000053